(57)【特許請求の範囲】
【請求項１】
所定配置に多数立設した支持杭に支持させて互いに隣り合う杭頭部間を連結するコンクリート梁を格子状配置に有する桟橋本体部を構築し、該桟橋本体部上に場所打ちコンクリートによるスラブを構築した後、該スラブを構築するためのスラブ構築用型枠を支持させたスラブ構築用支保工を解体する杭式桟橋構築におけるスラブ施工用支保工の解体方法において、
先に構築された前記桟橋本体部の互いに対向するコンクリート梁に前記スラブ構築用支保工を支持させて設置し、前記場所打ちコンクリートによるスラブを構築した後に、該スラブに上下に向けて貫通させた挿通孔に棒状の仮止め具を挿通させ、該仮止め具の下端側を前記スラブ構築用支保工に固定するとともに上端側をスラブ上面側に仮止めすることにより、前記仮止め具によって前記スラブ構築用支保工の荷重を受け持たせ、然る後前記桟橋本体部に対する前記スラブ構築用支保工の支持を解除し、次いで前記仮止め具を前記スラブ上に載せたクレーンにて吊り持ち、前記スラブ上面側の仮止めを解いて前記仮止め具を降下させることにより、前記スラブ構築用支保工を所望の高さまで降下させ、然る後前記スラブ構築用支保工を解体し、適宜搬送手段にて前記杭式桟橋下より搬出させることを特徴とてなる杭式桟橋構築におけるスラブ施工用支保工の解体方法。
【請求項２】
互いに対向する前記コンクリート梁の対向側面部に支保工受部材を着脱可能に突設させ、該支保工受部材上に前記スラブ構築用支保工の端部を支持させた請求項１に記載の杭式桟橋構築におけるスラブ施工用支保工の解体方法。
【請求項３】
前記仮止め具としてボルトを使用し、その上端に螺嵌したナットを介して前記スラブ上面部に対して仮止めする請求項１又は２に記載の杭式桟橋構築におけるスラブ施工用支保工の解体方法。
【請求項４】
前記吊り用棒状材の上端を、複数の該吊り用棒状材を支持できる吊り枠に支持させ、該吊り枠を前記クレーンにて吊り持ち操作させることにより、複数の吊り用棒状材を同時に降下させる請求項１、２又は３に記載の杭式桟橋構築におけるスラブ施工用支保工の解体方法。
【請求項５】
前記吊り用棒状材は、長さ方向に継ぎ足すことによって長さを延長させつつ前記支保工を所望の高さまで降下させる前記請求項１〜４に記載の杭式桟橋構築におけるスラブ施工用支保工の解体方法。
【請求項６】
前記搬送手段による搬送は、解体した支保工用の鋼材を水面上に浮かべた浮体に吊り下げて曳航する請求項１〜４又は５に記載の杭式桟橋構築におけるスラブ施工用支保工の解体方法。
【発明の詳細な説明】
【技術分野】
【０００１】
本発明は、水底地盤に支持させて立設した多数の杭に桟橋本体部を支持させた杭式桟橋の構築に際し、スラブ構築に使用した支保工を解体するための杭式桟橋構築におけるスラブ構築用支保工の解体方法に関する。
【背景技術】
【０００２】
従来の杭式桟橋としては、図１２、１３に示すように、水底に所定の配置に立設させた多数の支持杭１，１...の頭部に支持させて杭頭部間を連結するコンクリート梁２，２...を格子状配置に有する桟橋本体部３を備え、この桟橋本体部３の上面部に場所打ちコンクリートによるスラブ４を設けるように構成されたものが知られている。
【０００３】
この種の杭式桟橋の構築に際しては、図１４に示すように、角筒型又はＨ型の鋼材からなる支保工用梁材６，６を格子状に組み立てた支保工７を形成し、この支保工７を所定の高さの位置で杭頭部間を連結する連結材５等に吊下げ支持させ、この支保工７上に桟橋本体部３を形成するための型枠用部材８ａ，８ｂを組むと共に、支保工７上にスラブ４を形成するための型枠部材９を支持するＨ型鋼等を格子状に組んだスラブ構築用支保工１０を支柱１１を介して設置し、これにより設置された型枠内に場所打ちコンクリートを打設するようにしている（例えば、特許文献１）。
【０００４】
また、コンクリートの打設が完了した後は、桟橋上面部がスラブ４により閉鎖されているため、図１５に示すように、大型のクレーン台船１３を使用し、海側から上述の支保工７，１０及び型枠１２の解体撤去作業を行い、支持杭１に仮支持用のブラケット１４を設置し、支保工７の下面を支持させた状態で、ウインチ等により支保工用梁材６及びスラブ構築用支保工１０用の部材を桟橋本体部３下より引き出し、その引き出した部分をクレーン１３ａにより吊り上げて撤去するようにしている。
【先行技術文献】
【特許文献】
【０００５】
【特許文献１】特開平８−２７７５１４号公報
【発明の開示】
【発明が解決しようとする課題】
【０００６】
しかし上述の如き従来の技術では、桟橋の上面部がスラブにより閉鎖されているため、上述の支保工及びスラブ構築用支保工を解体撤去するには、海上より大型のクレーン台船を使用して作業を行う必要があり、その施工は気象条件・海象条件に大きな影響を受けるため工期が長期化するおそれがあり、また、大型クレーン台船の使用自体に多大な費用がかかるという問題があった。
【０００７】
更には、支保工用梁材及びスラブ構築用支保工を構成する部材を桟橋本体部下より撤去する際に、桟橋本体部下より引き出された部分しかクレーンにより吊り持ちすることができないためバランスを取るのが困難で、作業に危険が伴うという問題があり、この問題は構築する桟橋の大きさが大きく支保工用梁材を引き出す距離が大きくなるほどその危険性が増すという問題があった。
【０００８】
そこで本発明は、上述の如き従来の問題を鑑み、大型のクレーン台船を使用せずにスラブ構築用支保工を解体撤去でき、安価且つ安全にスラブ構築用支保工の解体を行うことができる杭式桟橋構築におけるスラブ施工用支保工の解体方法の提供を目的としてなされたものである。
【課題を解決するための手段】
【０００９】
上述の如き従来の問題を解決し、所期の目的を達成するための請求項１に記載の発明の特徴は、所定配置に多数立設した支持杭に支持させて互いに隣り合う杭頭部間を連結するコンクリート梁を格子状配置に有する桟橋本体部を構築し、該桟橋本体部上に場所打ちコンクリートによるスラブを構築した後、該スラブを構築するためのスラブ構築用型枠を支持させたスラブ構築用支保工を解体する杭式桟橋構築におけるスラブ施工用支保工の解体方法において、先に構築された前記桟橋本体部の互いに対向するコンクリート梁に前記スラブ構築用支保工を支持させて設置し、前記場所打ちコンクリートによるスラブを構築した後に、該スラブに上下に向けて貫通させた挿通孔に棒状の仮止め具を挿通させ、該仮止め具の下端側を前記スラブ構築用支保工に固定するとともに上端側をスラブ上面側に仮止めすることにより、前記仮止め具によって前記スラブ構築用支保工の荷重を受け持たせ、然る後前記桟橋本体部に対する前記スラブ構築用支保工の支持を解除し、次いで前記仮止め具を前記スラブ上に載せたクレーンにて吊り持ち、前記スラブ上面側の仮止めを解いて前記仮止め具を降下させることにより、前記スラブ構築用支保工を所望の高さまで降下させ、然る後前記スラブ構築用支保工を解体し、適宜搬送手段にて前記杭式桟橋下より搬出させることにある。
【００１０】
請求項２に記載の発明の特徴は、請求項１の構成に加え、互いに対向する前記コンクリート梁の対向側面部に支保工受部材を着脱可能に突設させ、該支保工受部材上に前記スラブ構築用支保工の端部を支持させたことにある。
【００１１】
請求項３に記載の発明の特徴は、請求項１又は２の構成に加え、前記仮止め具としてボルトを使用し、その上端に螺嵌したナットを介して前記スラブ上面部に対して仮止めすることにある。
【００１２】
請求項４に記載の発明の特徴は、請求項１、２又は３の構成に加え、前記吊り用棒状材の上端を、複数の該吊り用棒状材を支持できる吊り枠に支持させ、該吊り枠を前記クレーンにて吊り持ち操作させることにより、複数の吊り用棒状材を同時に降下させることにある。
【００１３】
請求項５に記載の発明の特徴は、請求項１〜３又は４の構成に加え、前記吊り用棒状材は、長さ方向に継ぎ足すことによって長さを延長させつつ前記スラブ構築用支保工を所望の高さまで降下させることにある。
【００１４】
請求項６に記載の発明の特徴は、請求項１の構成に加え、前記搬送手段による搬送は、解体した支保工用の鋼材を水面上に浮かべた浮体に吊り下げて曳航することにある。
【発明の効果】
【００１５】
本発明に係る杭式桟橋構築におけるスラブ施工用支保工の解体方法は、上述したように、所定配置に多数立設した支持杭に支持させて互いに隣り合う杭頭部間を連結するコンクリート梁を格子状配置に有する桟橋本体部を構築し、該桟橋本体部上に場所打ちコンクリートによるスラブを構築した後、該スラブを構築するためのスラブ構築用型枠を支持させたスラブ構築用支保工を解体する杭式桟橋構築におけるスラブ施工用支保工の解体方法において、先に構築された前記桟橋本体部の互いに対向するコンクリート梁に前記スラブ構築用支保工を支持させて設置し、前記場所打ちコンクリートによるスラブを構築した後に、該スラブに上下に向けて貫通させた挿通孔に棒状の仮止め具を挿通させ、該仮止め具の下端側を前記スラブ構築用支保工に固定するとともに上端側をスラブ上面側に仮止めすることにより、前記仮止め具によって前記スラブ構築用支保工の荷重を受け持たせ、然る後前記桟橋本体部に対する前記スラブ構築用支保工の支持を解除し、次いで前記仮止め具を前記スラブ上に載せたクレーンにて吊り持ち、前記スラブ上面側の仮止めを解いて前記仮止め具を降下させることにより、前記スラブ構築用支保工を所望の高さまで降下させ、然る後前記スラブ構築用支保工を解体し、適宜搬送手段にて前記杭式桟橋下より搬出させることにより、桟橋本体を構築する際に使用する支保工とスラブ構築用の支保工との解体を別々に行うことができ、且つスラブ構築用支保工の解体撤去がクレーン台船を使用せずに行え、費用の低減を図ることができる。また、スラブ構築用支保工をコンクリート梁間の長さとしたことで、小型クレーン等により作業することができ危険を低減することができる。
【００１６】
また本発明において、互いに対向する前記コンクリート梁の対向側面部に支保工受部材を着脱可能に突設させ、該支保工受部材上に前記スラブ構築用支保工の端部を支持させたことにより、支保工をコンクリート梁間に支持させることができる。
【００１７】
さらに本発明において、前記仮止め具としてボルトを使用し、その上端に螺嵌したナットを介して前記スラブ上面部に対して仮止めすることにより、スラブ底面と型枠部材との間の距離を調整することができ、作業を容易に行うことができる。
【００１８】
更にまた、本発明において、前記吊り用棒状材の上端を、複数の該吊り用棒状材を支持できる吊り枠に支持させ、該吊り枠を前記クレーンにて吊り持ち操作させることにより、複数の吊り用棒状材を同時に降下させることにより、効率よく作業を行うことができる。
【００１９】
前記吊り用棒状材は、長さ方向に継ぎ足すことによって長さを延長させつつ前記支保工を所望の高さまで降下させることにより、段階的に所望の高さまで降下させることができる。
【００２０】
前記搬送手段による搬送は、解体した支保工用の鋼材を水面上に浮かべた浮体に吊り下げて曳航することにより、支持杭間を移動しやすい。
【図面の簡単な説明】
【００２１】
【図１】本発明に係る杭式桟橋構築におけるスラブ構築用支保工の解体方法においてスラブ構築用支保工を仮止め具により仮止めさせた状態を示す縦断面図である。
【図２】図１中の支保工受部材を示す部分拡大縦断面図である。
【図３】同上の仮止め具の設置状態を示す縦断面図である。
【図４】同上の定着体の一例を示す平面図である。
【図５】本発明に係る杭式桟橋構築におけるスラブ構築用支保工の解体方法における支保工受部材取り外し作業の概略を示す縦断面図である。
【図６】同上の吊り用棒状材の連結作業の概略を示す縦断面図である。
【図７】同上のスラブ構築用支保工の吊り下ろし作業の概略を示す縦断面図である。
【図８】同上の吊り用棒状材の連結作業の概略を示す縦断面図である。
【図９】同上のスラブ構築用支保工の吊り下ろし作業の概略を示す縦断面図である。
【図１０】同上のスラブ構築用支保工の積み替え作業の概略を示す縦断面図である。
【図１１】同上のスラブ外縁部におけるスラブ構築用支保工の撤去作業の概略を示す縦断面図である。
【図１２】従来の杭式桟橋の一例を示す側面図である。
【図１３】図１２中のａ−ａ線断面図である。
【図１４】従来の支保工設置状態を示す縦断面図である。
【図１５】従来の支保工撤去作業の概略を示す縦断面図である。
【発明を実施するための最良の形態】
【００２２】
次に本発明の実施の形態を図面に示した実施例に基づいて説明する。尚、上述の従来例と同様の構成には同一の符合を付して説明する。
【００２３】
杭式桟橋は、水底に所定の配置に多数立設した支持杭１，１...に支持され杭頭部間を連結するコンクリート梁２，２...を格子状配置に有する桟橋本体部３を備え、この桟橋本体部３上に場所打ちコンクリートによるスラブ４を構築する構造となっている。
【００２４】
支持杭１は、鋼管杭をもって構成され、この鋼管杭を水底に直立配置に立設させた直立杭及び水底に対し長さ方向を桟橋幅方向又は桟橋長さ方向に向けて傾けた配置に立設させた斜杭として使用する。また、互いに隣り合う支持杭１の杭頭部間は、Ｈ形鋼や角筒型鋼等からなる連結材５により連結されている。
【００２５】
桟橋本体部３の構築は、図１３に示す従来例と同様に、角筒型又はＨ型の鋼材からなる支保工用梁材６，６...を格子状に組み立てた支保工７を形成し、この支保工７を所定の高さで連結材５に吊下げ支持させることにより固定し、この支保工７上に桟橋本体部３を形成するための型枠用部材８ａ、８ｂを組み、この型枠内に場所打ちコンクリートを打設することによって行う。
【００２６】
この場所打ちコンクリートの打設においては、後述する支保工受部材２０及びアイボルト等の足場設置用部材２１，２１...を固定する際に使用するナット等の固定用部材２２を多数コンクリート梁２側面部の所定の高さ位置に水平方向に並べて埋め込んでおく。
【００２７】
コンクリートを養生硬化させて桟橋本体部３を構築した後は、スラブ４を構築するより先に脱型するとともに支保工７を解体し、支保工用梁材６，６...を撤去する。
【００２８】
支保工用梁材６の撤去は、図１４に示す従来例と同様に、支持杭１に仮受け用のブラケット１４，１４を設置して支保工用梁材６を支持させた後、支保工用梁材６を連結部材５より取り外し、下面をブラケット１４に支持させた状態で端部をウインチ等により桟橋本体部３下より引き出すとともに、その端部をクレーン船１３により吊り持ち動作することによりクレーン船又は運搬用台船に積み込むようにしている。
【００２９】
このとき、桟橋本体部３は、各コンクリート梁２，２...に囲まれた格子状の各升目部３ａ，３ａ...が上下方向に開口貫通した状態にあり、クレーン台船１３による引き出し作業を桟橋本体部３上より確認・管理しつつ行うことができ、また、必要に応じて升目部３ａを通してクレーン４１よりワイヤーを垂下させ、クレーン台船１３により吊り持ち動作される側とは反対側の端部を吊り持ちさせながら作業を行うこともできる。
【００３０】
また、スラブ構築用支保工２０の撤去作業を別に行うため、その分のクレーン台船１３の使用する時間を抑えることができる。
【００３１】
次に、支保工７の撤去を終えたら、互いに対向するコンクリート梁２，２の対向面部上側部に支保工受部材２０，２０...を固定し、この支保工受部材２０に両端部を支持させてＨ形又は角筒型の鋼材からなるスラブ構築用支保工２３を互いに平行配置に設置し、このスラブ構築用支保工２３上に角材２４，２４等介して型枠部材２５を組み、スラブ構築用型枠を設置し、この型枠内に場所打ちコンクリートを打設してスラブ４を構築する。
【００３２】
支保工受部材２０は、図２に示すように、上下方向に向けた長孔状の挿通孔２６を有する平板状の取付け部２７を有し、挿通孔２６を通して取付用ボルト２８をコンクリート梁２内に埋設されたナット２２に螺合させ締め付けることによりコンクリート梁２の対向面部に固定されるようになっている。
【００３３】
また、スラブ構築用型枠２５内には、図示しない鉄筋とともに後述する吊り材挿通孔２９を形成するための筒材２９ａをスラブ構築用支保工２３上に位置するように上下方向に向けて設置するとともに、筒材２９ａ内に下端をスラブ構築用支保工２３に固定させた棒状の仮止め具３０を挿通させておく。
【００３４】
尚、仮止め具３０は、上下両端部又は全長に亘って雄ねじ部を有するボルトをもって構成されている。
【００３５】
次に、スラブ４構築後にスラブ構築用支保工２３及びスラブ構築用型枠２５を解体するには、まず、図１、図３に示すように、各挿通孔２９のスラブ４上面側開口縁部に平板状の定着体３１を設置し、この定着体３１にナット３２により仮止め具３０の上端部を定着し、仮止め具３０を介してスラブ構築用支保工２３の荷重をスラブ４に受け持たせる。
【００３６】
定着体３１は、図４に示すように、一対の半割板３３，３３を突き合わせて構成され、半割板３３には、互いに突き合わされる接合面側縁部中央に仮止め具３０が挿通される挿通孔３１ａを成すように挿通凹部が形成されている。
【００３７】
また、この定着体３１は、半割板３３，３３間を連結具３４，３４により連結して構成されており、この連結具３４を取り外すことにより分割でき、挿通孔３１ａに仮止め具３０等の棒状材を挿通させた状態であっても吊り材挿通孔２９の開口縁部において着脱できるようになっている。
【００３８】
次に、図５に示すように、コンクリート梁２，２の対向面部下側に支持されたアイボルト２１にチェーン等の吊り材３６，３６を設置し、この吊り材３６，３６に支持させて桟橋本体部３下の所望の高さに吊り足場３７を設置するとともに、アイボルト２１にブラケット３８ａを介して足場用部材を支持させてコンクリート梁２に沿って足場３８を設置する。
【００３９】
そして、この足場３８を用いて支保工受部材２０を固定しているボルト２８を緩めて支保工受部材２０を取り外し、スラブ構築用支保工２３及びスラブ構築用型枠２５が仮止め具３０を介してスラブ４の上面部に支持された状態とする。
【００４０】
次に、定着体３１にナット３２を定着させた状態でナット３２を回転させることにより仮止め具３０を相対的に降下させ、スラブ４下面と型枠２５との間に間隙３５を形成する。
【００４１】
しかる後、図６に示すように、仮止め具３０の上端に長ナット等の連結部材３９を介して上下端部又は全長に亘って雄螺子部が設けられた吊り用棒状材４０の下端を連結して仮止め具３０の延長方向に向けて吊り用棒状材４０を連結し、更に、所望の長さまで順次吊り用棒状材４０を継ぎ足すとともに、最上部の吊り用棒状材４０の上端をスラブ４上に載せたラフタークレーン４１に吊り持ち動作される吊り枠４２に連結する。
【００４２】
この吊り枠４２には、支保工の長さ方向及び幅方向に間隔を置いて複数の支持用ボルト４３，４３...が下向きに突設されており、この支持用ボルト４３の下端に各吊り用棒状材４０の上端を連結させて吊り枠４２を吊り持ち動作することにより、複数の吊り用棒状材４０を同時に吊り持ち動作できるようしている。
【００４３】
尚、各吊り用棒状材４０間の連結及び吊り用棒状材４０と支持用ボルト４３との連結には、仮止め具３０と吊り用棒状材４０との連結と同様に、長ナット等の連結部材３９を使用する。
【００４４】
次に、図７に示すように、ラフタークレーン４１により若干吊り枠４２を吊りあげ、ナット３２の定着体３１に対する定着を解除して仮止めを解除するとともに、定着体３１を半割にして挿通孔２９の開口縁部より撤去し、仮止め具３０及び吊り用棒状材４０が挿通孔２６を通して移動可能な状態とし、その状態でクレーン４１により吊り枠４２をその脚部４２ａ，４２ａがスラブ４上に着地するまで吊り下ろし、支保工２３及び型枠２５が所望の高さ、即ち吊り足場３７上で解体作業を行うのに適した高さまで吊り下ろす。
【００４５】
この位置で、吊り用棒状材４０を挟み込むように定着体３１を吊り材挿通孔２９の上側開口縁部に設置し、この定着体３１に最上部の吊り用棒状材４０の上端部をナット３２等により定着し、スラブ構築用支保工２３及びスラブ構築用型枠２５を仮止め具３０及び吊り用棒状材４０を介してスラブ４上面部に支持させて仮止めする。
【００４６】
この状態で、スラブ構築用支保工２３上に支持されたスラブ構築用型枠２５を解体し、解体された角材２４や型枠用板材２５を作業用筏等に搭載して桟橋本体部３下より移動させ、それを桟橋の外側部よりクレーン４１により吊り上げ、桟橋上に仮置きした後又は直接運搬用船に積み込みスラブ構築用型枠２５の撤去が完了する。
【００４７】
また、型枠２５の撤去が完了した後、桟橋本体部３下に設置されていた吊り足場３７を撤去し、スラブ構築用支保工２３を吊り下ろすことができるようにする。
【００４８】
次に、図８に示すように、最上部の吊り用棒状材４０の延長方向上側に向けて所望の長さまで順次吊り用棒状材４０，４０を継ぎ足すとともに、最上部の吊り用棒状材４０の上端を吊り枠４２に連結し、しかる後、ラフタークレーン４１により若干吊り枠４２を吊りあげ、ナット３２の定着体３１に対する定着を解除するとともに、定着体３１を半割にして挿通孔２９の開口縁部より撤去し、仮止め具３０及び吊り用棒状材４０が挿通孔２６を通して移動可能な状態とし、その状態でクレーン４１により吊り枠４２を吊り下ろし、スラブ構築用支保工２３が所望の高さ、即ちスラブ構築用支保工２３を搬送手段への積み替え作業を行うのに適した高さまで降下させる。
【００４９】
搬送手段としては、水面上に浮かべた浮体４４を使用し、この浮体４４にスラブ構築用支保工２３を吊り下げ、それを曳航するようにする。
【００５０】
この搬送手段に支保工２３を積み替えるには、まず、図９に示すように、支保工２３が海面よりやや上の位置に至るまで吊り枠４２を降下させ、その位置で吊り用棒状材４０挟み込むように定着体３１を吊り材挿通孔２９の上側開口縁部に設置し、吊り用棒状材４０の上端部をナット３２等により定着体３１に定着し、スラブ構築用支保工２３を仮止め具３０及び吊り用棒状材４０を介してスラブ４上面部に支持させる。
【００５１】
この状態で支保工搬送用浮体４４の両端部にワイヤー等の連結材４５を介して浮体４４を連結し、スラブ構築用支保工２３を水中に沈めた際に浮体４４により吊り下げられるようする。
【００５２】
この連結作業が完了したら、図１０に示すように、ラフタークレーン４１により若干吊り枠４２を吊りあげ、ナット３２の定着体３１に対する定着を解除するとともに、定着体３１を半割にして挿通孔２９の開口縁部より撤去し、仮止め具３０及び吊り用棒状材４０が挿通孔２９を通して移動可能な状態とし、その状態でクレーン４１により吊り枠４２を脚部４２ａがスラブ４上に着地するまで吊り下ろし、スラブ構築用支保工２３を水中に沈める。
【００５３】
しかる後、吊り用棒状材４０を挟み込むように定着体３１を吊り材挿通孔２９の開口縁部に設置し、吊り用棒状材４０の上端部をナット３２等により定着体３１に定着し、スラブ構築用支保工２３用梁材を仮止め具３０及び吊り用棒状材４０を介してスラブ４上面部に支持させた状態とし、最上部の吊り用棒状材４０の上端部を支持用ボルトより取り外し、吊り枠４２を撤去する。
【００５４】
この状態において、吊り用棒状材４０の所望の位置をバーナー等により溶断することによりスラブ構築用支保工２３は、浮体４４のみに吊り下げられた状態になりそれを曳航することにより桟橋本体部３下よりスラブ構築用支保工２３を撤去する。
【００５５】
次に、残された吊り用棒材及び定着体３１を撤去し、必要に応じて挿通孔２６内をグラウト等により閉鎖する。
【００５６】
そして、上述の作業を各升目部３ａ，３ａにおいて行うことによりスラブ構築用支保工の解体撤去が完了する。
【００５７】
次に、桟橋の外側縁部に設置されたスラブ構築用支保工及び型枠の解体方法について説明する。尚、上述した構成と同様の構成については同一符号を付して説明を省略する。
【００５８】
まず、図５に示す上述の実施例と同様に、各挿通孔２９のスラブ４上面側開口縁部に平板状の定着体３１を設置し、この定着体３１にナット３２により仮止め具３０の上端部を定着し、仮止め具３０を介してスラブ構築用支保工２３の荷重をスラブ４に受け持たせるとともに、吊り足場３７を利用して支保工受部材２０を取り外す。
【００５９】
次に、定着体３１にナット３２を定着させた状態でナット３２を回転させることにより仮止め具３０を相対的に降下させ、スラブ４下面と型枠との間に間隙を形成する。
【００６０】
次に、ラフタークレーン４１を用いて足場を設置し、この足場を利用して上記間隙より角材及び型枠用板材を引き抜き、スラブ上に仮置きしておく。
【００６１】
そして、上述の図５、図６に示す実施例と同様の工程を行い、スラブ構築用支保工２３を所望の高さまで降下させた後、図１１に示すように、ラフタークレーン４１に吊り持ち動作される玉掛け用ワイヤー５１にスラブ構築用支保工２３を吊り下げ、その状態で吊り用棒状材３０を溶断又は切断し、しかる後ラフタークレーン４１にて桟橋の外側縁より引き上げスラブ４上に仮置きする。
【００６２】
最後に、残された吊り用棒材４０及び定着体３１を撤去し、必要に応じて挿通孔２９内をグラウト等により閉鎖するとともに、吊り足場３７を撤去して作業が完了する。
【００６３】
このように構成された本願発明方法では、スラブ構築用支保工２３の撤去作業をスラブ４上に設置したラフタークレーン４１等のクレーンにより行うことができ、大型のクレーン船を使用して海上より行う必要がない。従って、安価に施工することができるとともに、気象・海象条件に左右されることが少ないので工期の短縮を図ることができる。
【００６４】
また、本発明方法では、升目部３ａ単位でスラブ構築用支保工２３の解体を行うので、短い部材を安定した状態で吊り下ろすことができ、安全に作業を行うことができる。
【００６５】
尚、上述の実施例では、定着体３１に対し仮止め具３０又は吊り用棒状材４０をナット３２により定着させて仮止めさせた例について説明したが、定着具には楔定着具等の他の定着具を使用してもよい。
【００６６】
また、上述の実施例では、型枠の解体撤去と支保工の撤去作業を違う高さにおいて行い、吊り用棒状材を順次継ぎ足すことにより段階的に高さを調節した例について説明したが、型枠解体と支保工解体を同じ高さで行ってもよい。
【符号の説明】
【００６７】
２０  支保工受部材
２１  アイボルト
２２  固定用部材（ナット）
２３  スラブ構築用支保工
２４  角材
２５  スラブ構築用型枠
２６  挿通孔
２７  取付部
２８  取付用ボルト
２９  吊り材挿通孔
３０  仮止め具
３１  定着体
３２  ナット
３３  半割板
３４  連結具
３５  間隙
３６  吊り材
３７  吊り足場
３８  足場
３９  連結部材
４０  吊り用棒状材
４１  ラフタークレーン
４２  吊り枠
４３  支持用ボルト
４４  浮体
４５  連結材
【図１】
0005637480.tif 000002
【図２】
0005637480.tif 000003
【図３】
0005637480.tif 000004
【図４】
0005637480.tif 000005
【図５】
0005637480.tif 000006
【図６】
0005637480.tif 000007
【図７】
0005637480.tif 000008
【図８】
0005637480.tif 000009
【図９】
0005637480.tif 000010
【図１０】
0005637480.tif 000011
【図１１】
0005637480.tif 000012
【図１２】
0005637480.tif 000013
【図１３】
0005637480.tif 000014
【図１４】
0005637480.tif 000015
【図１５】
0005637480.tif 000016